(57)【要約】【課題】容易に蓋体を開閉することができる収納容器を提供する。【解決手段】上方開口部１を有する容器本体２と、上方開口部１の外周３に螺着されるリング体４と、リング体４の後部に開閉自在に枢着されてリング体４の上部を施蓋する蓋体５と、蓋体５に取着されてリング体４と蓋体５との間を密封するためのパッキン６を、備える。パッキン６が後方へ突出したＵ形引掛片７を有し、リング体４が、蓋体５との枢着部近傍に引掛用垂下片９を有し、かつ、垂下片９の上方に、後方突出状の弯曲凸面10を有する突部11を有する。引掛片７を弾性的に伸長させて弯曲凸面10に圧接しつつ垂下片９に引掛け、蓋体５の施蓋状態では、Ｕ形引掛片７の弾発付勢力によって蓋体５が開く方向に回転モーメントを付与するように構成する。【選択図】図２
2016155578.tif 000002
【特許請求の範囲】
【請求項１】
上方開口部（１）を有する容器本体（２）と、上記上方開口部（１）の外周（３）に螺着されるリング体（４）と、上記リング体（４）の後部に開閉自在に枢着されて上記リング体（４）の上部を施蓋する蓋体（５）と、上記蓋体（５）に取着されて上記リング体（４）と上記蓋体（５）との間を密封するためのパッキン（６）を、備え、
上記パッキン（６）が後方へ突出したＵ形引掛片（７）を有し、
上記リング体（４）が、上記蓋体（５）との枢着部（８）近傍に引掛用垂下片（９）を有し、かつ、該垂下片（９）の上方に、後方突出状の弯曲凸面（10）を有する突部（11）を有し、
該Ｕ形引掛片（７）を弾性的に伸長させて上記弯曲凸面（10）に圧接しつつ上記垂下片（９）に引掛け、
上記蓋体（５）の施蓋状態では、該Ｕ形引掛片（７）の弾発付勢力（Ｆ）によって上記蓋体（５）が開く方向に回転モーメント（Ｍ）を付与するように構成したことを特徴とする収納容器。
【請求項２】
上記弯曲凸面（10）の曲率半径（ｒ）と、上記Ｕ形引掛片の厚さ寸法（ｔ）を、ｔ≦ｒ≦４×ｔに設定した請求項１記載の収納容器。
【請求項３】
上記突部（11）の弯曲凸面（10）に圧接した上記Ｕ形引掛片（７）の後端部（12）、及び、上記リング体（４）の後端部（13）を、上記容器本体（２）の後端面（14）の上方延長面（Ｓ）上ないし前方に配設した請求項１又は２記載の収納容器。
【発明の詳細な説明】
【技術分野】
【０００１】
本発明は、収納容器に関する。
【背景技術】
【０００２】
従来、粉物（例えば小麦粉）、乾物（例えばかつおぶし、マカロニ）、調味料（例えば砂糖、塩）、漬物（例えばピクルス、オリーブ）等を収納する収納容器は、蓋体が容器本体に嵌合又は螺合により取着される（例えば、特許文献１参照）。
【０００３】
しかし、蓋の開閉の際に、容器本体に蓋体を嵌合する構成の場合、大きな力が必要であり、容器本体に蓋体を螺合する構成の場合、蓋体を回転させなければならず、手間がかかるという欠点があった。
【先行技術文献】
【特許文献】
【０００４】
【特許文献１】特開２００２−３６０４０４号公報
【発明の概要】
【発明が解決しようとする課題】
【０００５】
解決しようとする課題は、容易に蓋体を開閉することができない点である。
【課題を解決するための手段】
【０００６】
そこで、本発明に係る収納容器は、上方開口部を有する容器本体と、上記上方開口部の外周に螺着されるリング体と、上記リング体の後部に開閉自在に枢着されて上記リング体の上部を施蓋する蓋体と、上記蓋体に取着されて上記リング体と上記蓋体との間を密封するためのパッキンを、備え、上記パッキンが後方へ突出したＵ形引掛片を有し、上記リング体が、上記蓋体との枢着部近傍に引掛用垂下片を有し、かつ、該垂下片の上方に、後方突出状の弯曲凸面を有する突部を有し、該Ｕ形引掛片を弾性的に伸長させて上記弯曲凸面に圧接しつつ上記垂下片に引掛け、上記蓋体の施蓋状態では、該Ｕ形引掛片の弾発付勢力によって上記蓋体が開く方向に回転モーメントを付与するように構成したものである。
【０００７】
また、上記弯曲凸面の曲率半径ｒと、上記Ｕ形引掛片の厚さ寸法ｔを、ｔ≦ｒ≦４×ｔに設定したものである。
また、上記突部の弯曲凸面に圧接した上記Ｕ形引掛片の後端部、及び、上記リング体の後端部を、上記容器本体の後端面の上方延長面上ないし前方に配設したものである。
【発明の効果】
【０００８】
本発明の収納容器によれば、容易に蓋体を開閉することができる。蓋体を自動的に開くことができる。また、パッキンの弾性という特徴を、Ｕ形引掛片に生かすことができる。すなわち、パッキンの弾性を、密封と引張力の両方に共通して生かすことができる。また、パッキンの密封部分とＵ形引掛片が一体ものなので、シンプルな構造となり、取付部位の強度が大きい。構造が簡素で丈夫であり、スムーズに組立てることができる。さらに、後方への突出寸法を小さくできる。
【図面の簡単な説明】
【０００９】
【図１】本発明の第１の実施の形態を示す平面図である。
【図２】図１のＡ−Ａ断面図である。
【図３】図１のＢ−Ｂ断面図である。
【図４】リング体を示す平面図である。
【図５】図４のＣ−Ｃ断面図である。
【図６】蓋体を示す平面図である。
【図７】蓋体を後方から見た図である。
【図８】パッキンを示す平面図である。
【図９】図８のＤ−Ｄ断面図である。
【図１０】要部拡大作用説明図である。
【図１１】蓋体の開蓋途中を示す断面図である。
【図１２】開蓋状態を示す断面図である。
【図１３】第２の実施の形態を示す断面図である。
【発明を実施するための形態】
【００１０】
以下、図示の実施の形態に基づいて本発明を詳説する。
図１〜図３は、本発明の第１の実施の形態を示し、この収納容器は、粉物（例えば小麦粉）、乾物（例えばかつおぶし、マカロニ）、調味料（例えば砂糖、塩）、漬物（例えばピクルス、オリーブ）等を収納するためのものである。
【００１１】
上方開口部１を有する容器本体２と、上方開口部１の外周３に螺着されるリング体４（図４・図５参照）と、リング体４の後部に開閉自在に枢着されてリング体４の上部を施蓋する蓋体５（図６・図７参照）と、蓋体５に取着されてリング体４と蓋体５との間を密封するためのパッキン６（図８・図９参照）を、備える。
【００１２】
パッキン６が後方へ突出したＵ形引掛片７を有する。
リング体４が、蓋体５との枢着部８近傍に引掛用垂下片９を有する。リング体４が、垂下片９の上方に、後方突出状の弯曲凸面10を有する突部11を有する。
Ｕ形引掛片７を弾性的に伸長させて弯曲凸面10に圧接しつつ垂下片９に引掛けられている。
【００１３】
図10に示すように、蓋体５の施蓋状態では、Ｕ形引掛片７の弾発付勢力Ｆによって蓋体５が開く方向に回転モーメントＭを付与するように構成する。すなわち、枢着部８（図１・図３参照）の回転軸心Ｏから、Ｕ型引掛片７にはたらく弾発付勢力Ｆの作用線までの距離（うでの長さ）をＲとすると、Ｍ＝Ｆ×Ｒの回転モーメントＭがはたらく。蓋体５は、図２に示す施蓋状態から、図11に示す開蓋途中状態、図12に示す開蓋状態へと開く。
【００１４】
弯曲凸面10の曲率半径ｒと、Ｕ形引掛片７の厚さ寸法ｔを、ｔ≦ｒ≦４×ｔに設定する。曲率半径ｒが、ｒ＜ｔの場合、蓋体５をスムーズに開くことができない。すなわち、Ｕ形引掛片７が曲がる部分で引掛かる。また、４×ｔ＜ｒの場合、突部11が大きく後方へ突出する。さらに説明すると、これによって（開蓋状態に比較して）施蓋状態では、Ｕ形引掛片７の弾発的伸長変形量を大きく設定できる。このようにして、最も大きい回転モーメントを必要とする係止状態を解除した直後に、大きな回転モーメントＭを発生できる。
【００１５】
図７・図８に示すように、蓋体５が、パッキン６の密封側の変形を抑止するための下方突出状変形抑止片15を有する。蓋体５が前端部に係止片16を有し、リング体４が前端部に被係止片17を有する。蓋体５の施蓋状態では、係止片16と被係止片17が係止して施蓋状態を保持する。係止片16と被係止片17の係止を離脱させると、自動的に蓋が開く。
【００１６】
図13は、第２の実施の形態を示す。突部11の弯曲凸面10に圧接したＵ形引掛片７の後端部12、及び、リング体４の後端部13が、容器本体２の後端面14の上方延長面Ｓ上ないし前方に配設される。その他の構成は、第１の実施の形態と同様である。
【００１７】
なお、本発明は、設計変更可能であって、例えば、蓋体５とリング体４の係止構造は、リング体４に被係止凹部を形成し、蓋体５に（リング体４の被係止凹部に係止する）係止凸部を形成しても良い。
【００１８】
以上のように、本発明は、上方開口部１を有する容器本体２と、上記上方開口部１の外周３に螺着されるリング体４と、上記リング体４の後部に開閉自在に枢着されて上記リング体４の上部を施蓋する蓋体５と、上記蓋体５に取着されて上記リング体４と上記蓋体５との間を密封するためのパッキン６を、備え、上記パッキン６が後方へ突出したＵ形引掛片７を有し、上記リング体４が、上記蓋体５との枢着部８近傍に引掛用垂下片９を有し、かつ、該垂下片９の上方に、後方突出状の弯曲凸面10を有する突部11を有し、該Ｕ形引掛片７を弾性的に伸長させて上記弯曲凸面10に圧接しつつ上記垂下片９に引掛け、上記蓋体５の施蓋状態では、該Ｕ形引掛片７の弾発付勢力Ｆによって上記蓋体５が開く方向に回転モーメントＭを付与するように構成したので、容易に蓋体５を開閉することができる。蓋体５を自動的に開くことができる。また、パッキン６の弾性という特徴を、Ｕ形引掛片７に生かすことができる。すなわち、パッキン６の弾性を、密封と引張力の両方に共通して生かすことができる。また、パッキン６の密封部分とＵ形引掛片７が一体ものなので、シンプルかつ取付部位の強度が大きい。構造が簡素で丈夫であり、スムーズに組立てることができる。
【００１９】
また、上記弯曲凸面10の曲率半径ｒと、上記Ｕ形引掛片７の厚さ寸法ｔを、ｔ≦ｒ≦４×ｔに設定したので、（開蓋状態に比較して）施蓋状態では、Ｕ形引掛片７の弾発的伸長変形量を大きく設定できる。しかも、Ｕ形引掛片７の弯曲内面と弯曲凸面10とが、スムーズに滑りを生じ、Ｕ形引掛片７の弾発力を有効かつスムーズに蓋体５へ伝達することができ、従って、蓋体５を強くかつスムーズに開くことができる。特に、腕の長さＲを大きく設定することができ、同じ弾発付勢力Ｆに対しても大きな回転モーメントＭを生じさせることができる。また、後方へ少ししか突出しないにかかわらず、下方向へＵ形引掛片７を十分に長く弾発的に伸長させて引掛けることが可能なため、弾発付勢力Ｆを十分に大きくすることができる。
また、上記突部11の弯曲凸面10に圧接した上記Ｕ形引掛片７の後端部12、及び、上記リング体４の後端部13を、上記容器本体２の後端面14の上方延長面Ｓ上ないし前方に配設したので、コンパクトに設置することができる。即ち、複数個の収納容器を、その容器本体２，２相互を当接して、かつ、設置空間の内面に容器本体２の後端面14を当接して、狭小空間にも（無駄なく）設置可能となる。このように、突部11、引掛片７等を後方へ突出状に付設しても、設置の邪魔とならない。
【符号の説明】
【００２０】
１  上方開口部
２  容器本体
３  外周
４  リング体
５  蓋体
６  パッキン
７  Ｕ形引掛片
８  枢着部
９  （引掛用）垂下片
10  弯曲凸面
11  突部
12  後端部
13  後端部
14  後端面
Ｆ  弾発付勢力
Ｍ  回転モーメント
ｒ  曲率半径
Ｓ  上方延長面
ｔ  厚さ寸法
【図１】
2016155578.tif 000003
【図２】
2016155578.tif 000004
【図３】
2016155578.tif 000005
【図４】
2016155578.tif 000006
【図５】
2016155578.tif 000007
【図６】
2016155578.tif 000008
【図７】
2016155578.tif 000009
【図８】
2016155578.tif 000010
【図９】
2016155578.tif 000011
【図１０】
2016155578.tif 000012
【図１１】
2016155578.tif 000013
【図１２】
2016155578.tif 000014
【図１３】
2016155578.tif 000015